(57)【要約】      （修正有）【課題】可撓式映像入出力装置を提供する。【解決手段】可撓式映像入出力装置１は、第１本体と、第２本体と、可撓部材と、を備える。第１本体は、映像捕獲モジュール１１１を有し、映像捕獲モジュール１１１は、第１映像信号を生成する。第２本体は、第１本体と相互に分離され、映像表示モジュール１２１を有し、映像表示モジュール１２１は、第１映像信号を受信すると共に、第１映像を表示させる。可撓部材の一端が第１本体に連結され、他端が第２本体に連結されることによって、第１映像信号を映像捕獲モジュール１１１から映像表示モジュール１２１に送信する。【選択図】図１
0003195238.tif 000002
【実用新案登録請求の範囲】
【請求項１】
第１映像信号を生成する映像捕獲モジュールを有する第１本体と、
前記第１映像信号を受信すると共に、前記第１映像信号に対応する第１映像を表示させる映像表示モジュールを有し、前記第１本体と相互に分離される第２本体と、
一端が前記第１本体に連結され、他端が前記第２本体に連結されることによって、前記第１映像信号を前記映像捕獲モジュールから前記映像表示モジュールに送信する可撓部材と、を備えることを特徴とする、
可撓式映像入出力装置。
【請求項２】
前記可撓式映像入出力装置は、外部装置に電気的に接続され、かつ前記映像捕獲モジュールは、前記第１映像信号を前記外部装置に送信して記憶させるか、あるいは前記外部装置から第２映像信号を前記映像表示モジュールに送信して表示させることを特徴とする、
請求項１に記載の可撓式映像入出力装置。
【請求項３】
前記可撓式映像入出力装置は、さらに信号伝送部材を備え、前記信号伝送部材により前記外部装置に電気的に接続され、かつ前記信号伝送部材により有線伝送方式で前記第１映像信号または前記第２映像信号の伝送を行うことを特徴とする、
請求項２に記載の可撓式映像入出力装置。
【請求項４】
前記可撓式映像入出力装置は、さらに無線伝送モジュールを備え、前記無線伝送モジュールにより前記外部装置に電気的に接続され、かつ前記無線伝送モジュールにより無線伝送方式で前記第１映像信号または前記第２映像信号の伝送を行うことを特徴とする、
請求項２に記載の可撓式映像入出力装置。
【請求項５】
前記可撓式映像入出力装置は、さらに３軸加速度計を備え、前記３軸加速度計は、前記可撓式映像入出力装置の３軸加速度を検出して制御信号を生成すると共に、前記制御信号に基づいて前記映像捕獲モジュールまたは前記映像表示モジュールを制御することを特徴とする、
請求項１に記載の可撓式映像入出力装置。
【考案の詳細な説明】
【技術分野】
【０００１】
本考案は、映像入出力装置に係り、特に可撓部材を介して第１本体及び第２本体を連結する可撓式映像入出力装置に関するものである。
【背景技術】
【０００２】
科学技術の日進月歩によって、スマートフォン及びタブレットコンピュータ等が一般大衆の日常生活に普及していく中、スマートフォン及びタブレットコンピュータ等の機能の絶え間ない革新に伴い、関連する知能型装置の要求もそれにつれて増加する。
【０００３】
而して、知能型通信装置の使用者にとって、知能型通信装置を手中で操作する時に、チャット通信、カジュアルゲーム、ひいては各種の仕事事務の処理さえも十分に便利に行える。しかし、原点に戻って考えると、現今の知能型通信装置の機能は、使用者が握持している時のみ発揮することができる。つまり、使用者が直接に操作可能な範囲内しかその優越な機能性は、発揮することができない。
【考案の概要】
【考案が解決しようとする課題】
【０００４】
こうして、簡単な着信を例にして説明すると、知能型通信装置がどこかに（例えば、手持ちかばんの中）置かれている時にたまたま着信がある場合、使用者は、手持ちかばんの中から知能型通信装置を持ち出さなければ、着信に応答して通話を行うことができない。それ故、使用方式から見れば、使用者にいくつかの不便さを与えてしまうという問題があった。
【０００５】
従って、如何にして上述した従来の知能型通信装置の問題点を解決して、知能型通信装置の機能をより一層便利にし、より容易に展示するかが、当該産業が早急に克服すべき課題の一つとなっている。
【０００６】
本考案は、上記のような従来技術の問題点に鑑みてなされたもので、その目的は、従来の改善すべき問題点を解消し得る映像入出力装置を提供することにある。
【課題を解決するための手段】
【０００７】
本考案の目的に従って、本考案は、第１本体と、第２本体と、可撓部材と、を備える可撓式映像入出力装置を提供するものである。第１本体は、映像捕獲モジュールを有し、映像捕獲モジュールは、第１映像信号を生成する。第２本体は、第１本体と相互に分離され、映像表示モジュールを有し、映像表示モジュールは、第１映像信号を受信すると共に、第１映像信号に対応する第１映像を表示させる。可撓部材の一端が第１本体に連結され、他端が第２本体に連結されることによって、第１映像信号を映像捕獲モジュールから映像表示モジュールに送信する。
【０００８】
より好ましいのは、第１本体及び第２本体は、それぞれ眼鏡枠連結部を有してもよい。第１本体は、眼鏡枠連結部を介して眼鏡枠の一側に連結して設けられる。一方、第２本体は、第１本体に相対して眼鏡枠連結部を介して眼鏡枠の他側に連結して設けられる。
【０００９】
より好ましいのは、可撓式映像入出力装置は、外部装置に電気的に接続され、かつ映像捕獲モジュールは、第１映像信号を外部装置に送信して記憶させるか、あるいは外部装置から第２映像信号を映像表示モジュールに送信して表示させる。
【００１０】
より好ましいのは、可撓式映像入出力装置は、さらに信号伝送部材を備えてもよく、可撓式映像入出力装置は、信号伝送部材により外部装置に電気的に接続され、かつ信号伝送部材により有線伝送方式で第１映像信号または第２映像信号の伝送を行う。
【００１１】
より好ましいのは、外部装置は、信号伝送部材により電力を可撓式映像入出力装置に出力する。
【００１２】
より好ましいのは、可撓式映像入出力装置は、さらに無線伝送モジュールを備えてもよく、可撓式映像入出力装置は、無線伝送モジュールにより外部装置に電気的に接続され、かつ無線伝送モジュールにより無線伝送方式で第１映像信号または第２映像信号の伝送を行う。
【００１３】
より好ましいのは、可撓式映像入出力装置は、さらに音声入出力モジュールを備えてもよく、音声入出力モジュールは、音声を入力または出力する。
【００１４】
より好ましいのは、可撓式映像入出力装置は、さらに３軸加速度計を備えてもよく、３軸加速度計は、可撓式映像入出力装置の３軸加速度を検出して制御信号を生成すると共に、制御信号に基づいて映像捕獲モジュールまたは映像表示モジュールを制御する。
【００１５】
より好ましいのは、可撓式映像入出力装置は、さらに電源ユニットを備えてもよく、電源ユニットは、電力を映像捕獲モジュール及び映像表示モジュールの使用に提供する。
【００１６】
より好ましいのは、映像表示モジュールは、ライトクリスタルモジュール、表示スクリーンモジュールまたは投影モジュールであってもよい。
【考案の効果】
【００１７】
上記説明したとおり、本考案の可撓式映像入出力装置は、可撓部材を介して第１本体及び第２本体を連結する連結方式により、映像入出力装置を可撓曲状態で各種の空間の中に応用配置するか、あるいは眼鏡枠に連結することによって、環境が映像入出力装置の配置空間に与える制限を低減することが可能になる。これにより、映像入出力装置の使用範囲及び使用弾性を拡大させることができる。
【図面の簡単な説明】
【００１８】
【図１】本考案の可撓式映像入出力装置を示すブロック図である。
【図２】本考案の可撓式映像入出力装置を示す側面図である。
【図３】本考案の可撓式映像入出力装置を示す第１模式図である。
【図４】本考案の可撓式映像入出力装置を示す第２模式図である。
【図５】本考案の可撓式映像入出力装置を示す第３模式図である。
【図６】本考案の可撓式映像入出力装置を示す第４模式図である。
【考案を実施するための形態】
【００１９】
本考案をより完全に理解するために、本考案の技術特徴、内容と長所及びそれが達成できる作用効果については、添付図面を参照して、実施例の表現形式で以下のように詳細に説明される。しかし、図示された図面は、単に例示または明細書内容を補助する目的としたものであって、本考案の実施後の原寸に比例したものや精確に配置したものには何ら拘束されない。よって、図示された図面は、添付図面の比例と配置関係で解釈されてはならず、本考案を実際に実施する権利範囲に制限することを意図したものではないことについて先に説明しておきたい。
【００２０】
図１〜図６を参照する。図１は、本考案の可撓式映像入出力装置を示すブロック図である。図２は、本考案の可撓式映像入出力装置を示す側面図である。図３は、本考案の可撓式映像入出力装置を示す第１模式図である。図４は、本考案の可撓式映像入出力装置を示す第２模式図である。図５は、本考案の可撓式映像入出力装置を示す第３模式図である。図６は、本考案の可撓式映像入出力装置を示す第４模式図である。図示のように、本考案の可撓式映像入出力装置１は、第１本体１１と、第２本体１２と、可撓部材１３と、を備える。第１本体１１は、映像捕獲モジュール１１１を有し、映像捕獲モジュール１１１は、第１映像信号を生成する。第２本体１２は、第１本体１１と相互に分離され、映像表示モジュール１２１を有し、映像表示モジュール１２１は、第１映像信号を受信すると共に、第１映像信号に対応する第１映像を表示させる。可撓部材１３の一端が第１本体１１に連結され、他端が第２本体１２に連結されることによって、第１映像信号を映像捕獲モジュール１１１から映像表示モジュール１２１に送信する。また、可撓部材１３は、第１映像信号の伝送以外に、映像捕獲モジュール１１１及び映像表示モジュール１２１の間の他のファイルデータの伝送にも利用することができる。
【００２１】
またさらに、本考案に係る映像表示モジュール１２１は、ライトクリスタルモジュール１２１１、表示スクリーンモジュール１２１２または投影モジュール１２１３であってもよく、それらは必要及び使用方式に応じて取替え調整することができる。以下、映像表示モジュール１２１をそれぞれライトクリスタルモジュール１２１１、表示スクリーンモジュール１２１２または投影モジュール１２１３を例にして説明する。
【００２２】
図３に示すように、映像表示モジュール１２１をライトクリスタルモジュール１２１１とする場合、より好ましいのは、第１本体１１及び第２本体１２は、それぞれ眼鏡枠連結部１００を有してもよい。第１本体１１は、眼鏡枠連結部１００を介して眼鏡枠２の一側に連結して設けられる。一方、第２本体１２は、第１本体１１に相対して眼鏡枠連結部１００を介して眼鏡枠２の他側に連結して設けられる。これにより、使用者は、眼鏡枠２を装着した時に、ライトクリスタルモジュール１２１１を介して映像観賞を行うことができる。
【００２３】
補足すべき点を述べると、眼鏡枠連結部１００は、磁石として例示され、それに対応する眼鏡枠２の両側には、金属部材を有してもよい。これにより、眼鏡枠連結部１００は、磁力を利用して眼鏡枠２の両側に連結固定される。ただし、上記連結方式はあくまでも例示にすぎず、これに限定されるものではない。
【００２４】
また、図４に示すように、映像表示モジュール１２１を表示スクリーンモジュール１２１２とする場合は、携帯電話のスクリーンやタブレットコンピュータのスクリーンなどのように映像観賞を行うことができる。さらに、映像捕獲モジュール１１１が録画動作を行う時に、表示スクリーンモジュール１２１２を介して映像画面を即時に見ることができる。
【００２５】
さらに、図５に示すように、映像表示モジュール１２１を投影モジュール１２１３とする場合、使用者は、手持ち方式または可撓式映像入出力装置１を平台上に配置することによって、映像の投影再生を行うことができる。ここで、投影モジュール１２１３の投影方式に関しては限定されず、それは投影モジュール１２１３の機能に基づいて定められるものである。
【００２６】
続いて、本考案の可撓式映像入出力装置１は、外部装置３に電気的に接続され、そして外部装置３は、通信電子装置（例えばスマートフォンやタブレットコンピュータなど）であってもよく、または記憶装置（例えばポータブル式記憶ハードディスク）であってもよい。これにより、映像捕獲モジュール１１１は、生成された第１映像信号を外部装置３に送信して記憶させることができ、あるいは外部装置３から生成された第２映像信号を映像表示モジュール１２１に送信して表示させることができる。
【００２７】
一方、映像捕獲モジュール１１１が映像捕獲または録画を行う時に、第１映像信号を映像表示モジュール１２１に送信して第１映像を表示させると同時に、第１映像信号を外部装置３に送信して記憶させる。さらに、第１映像信号を外部装置３に送信する前、まず第１映像信号を適当なファイル形式に変換してから、それを外部装置３に送信することによって、外部装置３で簡便に読み取り見ることができる。
【００２８】
続いて言えば、可撓式映像入出力装置１は、さらに信号伝送部材１４を備えてもよく、可撓式映像入出力装置１は、信号伝送部材１４により外部装置３に電気的に接続され、かつ信号伝送部材１４により有線伝送方式で第１映像信号、第２映像信号や他のファイルデータなどの伝送を行うことができる。
【００２９】
言及に値するのは、可撓式映像入出力装置１が信号伝送部材１４を介して外部装置３に連結される場合、外部装置３は、信号伝送部材１４により電力を可撓式映像入出力装置１の使用に供されるように出力する。
【００３０】
また、可撓式映像入出力装置１は、さらに無線伝送モジュール１５（例えばブルートゥースモジュール）を備えてもよい。これにより、可撓式映像入出力装置１は、無線伝送モジュール１５により外部装置３に電気的に接続されると共に、無線伝送方式で第１映像信号、第２映像信号や他のファイル情報などの伝送を相互に行うことができる。
【００３１】
また、一般の映画フィルムには、映像を有している他に、音声もあることに鑑みて、このため、本考案の可撓式映像入出力装置１は、音声入出力モジュール１６を備え、音声入出力モジュール１６は、ヘッドホンやマイクロフォンなどの部品を備えてもよい。これにより、音声入出力モジュール１６は、音声の入力または出力を行うことができる。
【００３２】
以上に述べると同様に、映像捕獲モジュール１１１は、第１映像信号を外部装置３に送信して記憶させ、そして外部装置３から第２映像信号を映像表示モジュール１２１に送信して表示再生させる。さらに、可撓式映像入出力装置１は、第１映像信号及び第２映像信号を記憶するための記憶ユニット１７を有してもよい。
【００３３】
また、上記に続いて、信号伝送部材１４により外部装置３から可撓式映像入出力装置１に電力供給することができるが、可撓式映像入出力装置１自身は、電源ユニット１９（例えばリチウム電池）を備えてもよい。このため、可撓式映像入出力装置１が外部装置３に連結していない場合でも、電源ユニット１９から電力供給することによって、映像捕獲モジュール１１１及び映像表示モジュール１２１を正常に稼働させることができる。
【００３４】
言及に値するのは、本考案の可撓式映像入出力装置１は、さらに３軸加速度計１８を備えてもよい。３軸加速度計１８は、その名前が表す通り、可撓式映像入出力装置１の３軸加速度を検出するためのものであり、それに対応して制御信号を生成すると共に、制御信号に基づいて映像捕獲モジュール１１１または映像表示モジュール１２１の作動を操作制御する。
【００３５】
例えば、可撓式映像入出力装置１は、携帯電話と電気的に接続されると同時に、使用者の眼鏡枠２に配設する場合、もし誰からの着信があると、使用者は、応答するために携帯電話を持ち出す必要ことなく、直覚的に「首をうなずく」という動作に基づいて、３軸加速度計１８は、可撓式映像入出力装置１の３軸加速度の変化を検出することによって、それに対応する「応答」の制御信号を生成するので、着信に応答して通話することができると共に、可撓式映像入出力装置１の音声入出力モジュール１６を介して通話を行うことができる。
【００３６】
また、映像捕獲モジュール１１１が撮影を行う過程において、同様に使用者の簡単な頭部動作に基づいて、「撮影開始」や「撮影一時停止」といった指令を生成することができるので、映像捕獲モジュール１１１の作動を制御することができる。ただし、上記操作方式はあくまでも例示にすぎず、使用者の習慣、要求に応じて調整設定することができるので、これに限定されるものではない。
【００３７】
補足すべき点を述べると、上記に言及した信号伝送部材１４と、無線伝送モジュール１５と、音声入出力モジュール１６と、記憶ユニット１７と、３軸加速度計１８と、電源ユニット１９とは、第１本体１１または第２本体１２の上に設置または連結されているが、第１本体１１のみに設置連結されること、または第２本体１２の上のみに設けられることに限定されない。
【産業上の利用可能性】
【００３８】
上記説明したとおり、映像表示モジュールの取替え運用によれば、本考案の可撓式映像入出力装置は、単に眼鏡枠の上に配置連結されるのみならず、さらに可撓部材の任意に湾曲可能な特性を利用すれば、環境が映像入出力装置の配置空間及び範囲に与える制限を大幅に低減することが可能となる。これにより、映像入出力装置の応用範囲及び使用弾性を増やすことができる。
【符号の説明】
【００３９】
１：可撓式映像入出力装置
１００：眼鏡枠連結部
１１：第１本体
１１１：映像捕獲モジュール
１２：第２本体
１２１：映像表示モジュール
１２１１：ライトクリスタルモジュール
１２１２：表示スクリーンモジュール
１２１３：投影モジュール
１３：可撓部材
１４：信号伝送部材
１５：無線伝送モジュール
１６：音声入出力モジュール
１７：記憶ユニット
１８：３軸加速度計
１９：電源ユニット
２：眼鏡枠
３：外部装置
【図１】
0003195238.tif 000003
【図２】
0003195238.tif 000004
【図３】
0003195238.tif 000005
【図４】
0003195238.tif 000006
【図５】
0003195238.tif 000007
【図６】
0003195238.tif 000008